(57)【要約】【課題】自分撮り構図確認用の反射鏡を備える撮影装置において、所定の色の反射鏡を透過した画像が本来の色になるよう画質調整する。【解決手段】被写体を撮影する撮影レンズ２を含む撮影手段と、その撮影レンズ２の前面に配置され、被写体からの入射光を撮影レンズ２に透過させる透光部３１を有して所定の色の反射鏡３と、その所定の色の反射鏡３の透光部３１を透過した入射光を、撮影手段により撮影して得られた所定の色の影響を受けた画像データに対して、所定の色の影響を補正するための色調整を行う色調整手段と、を備える。具体的には、色調整手段は、画像のハイライト部分から所定の色のＲＧＢ各成分を引き算してホワイトバランス処理を行う。所定の色を示す情報を取得する色情報取得手段５を備え、その取得した色情報に基づいて、画像データに対して色調整を行う。【選択図】図４
2016045332.tif 000002
【特許請求の範囲】
【請求項１】
被写体を撮影する撮影レンズを含む撮影手段と、
前記撮影レンズの前面に配置され、前記被写体からの入射光を前記撮影レンズに透過させる透光部を有した所定の色の反射鏡と、
前記所定の色の反射鏡の前記透光部を透過した入射光を、前記撮影手段により撮影して得られた前記所定の色の影響を受けた画像データに対して、前記所定の色の影響を補正するための色調整を行う色調整手段と、
を備えることを特徴とする撮影装置。
【請求項２】
前記色調整手段は、画像のハイライト部分から前記所定の色のＲＧＢ各成分を引き算してホワイトバランス処理を行うことを特徴とする請求項１に記載の撮影装置。
【請求項３】
前記所定の色を示す情報を取得する色情報取得手段を備え、
前記色調整手段は、前記色情報取得手段により取得した色情報に基づいて、前記撮影手段により撮影して得られた画像データに対して色調整を行うことを特徴とする請求項１に記載の撮影装置。
【請求項４】
前記色情報取得手段は、前記反射鏡の裏面に反射印刷した認識情報を読み取る、または前記反射鏡の半透明部の色相や透過率を認識させることで、前記所定の色を示す情報を取得することを特徴とする請求項３に記載の撮影装置。
【請求項５】
前記色情報取得手段は、前記反射鏡に備えられていることを特徴とする請求項３に記載の撮影装置。
【請求項６】
前記透光部は、所定の透過率と反射率を有するハーフミラーであることを特徴とする請求項１から５の何れか一項に記載の撮影装置。
【請求項７】
前記反射鏡は、所定の透過率と反射率を有するハーフミラーであることを特徴とする請求項１から６の何れか一項に記載の撮影装置。
【請求項８】
前記反射鏡は、凸面鏡であることを特徴とする請求項１から７の何れか一項に記載の撮影装置。
【請求項９】
前記反射鏡は、当該撮影装置本体から着脱可能な構造であることを特徴とする請求項１から８の何れか一項に記載の撮影装置。
【請求項１０】
撮影レンズと、前記撮影レンズの前面に配置され、前記被写体からの入射光を前記撮影レンズに透過させる透光部を有する所定の色の反射鏡と、を備える撮影装置による撮影方法であって、
前記所定の色の反射鏡の前記透光部を透過した前記被写体からの入射光を撮影する撮影ステップと、
前記撮影ステップにより撮影して得られた前記所定の色の影響を受けた画像データに対して、前記所定の色の影響を補正するための色調整を行う色調整ステップと、
を含むことを特徴とする撮影方法。
【請求項１１】
撮影レンズと、前記撮影レンズの前面に配置され、前記被写体からの入射光を前記撮影レンズに透過させる透光部を有する所定の色の反射鏡と、を備える撮影装置のコンピュータを、
前記所定の色の反射鏡の前記透光部を透過した前記被写体からの入射光を撮影する撮影手段、
前記撮影手段により撮影して得られた前記所定の色の影響を受けた画像データに対して、前記所定の色の影響を補正するための色調整を行う色調整手段、
として機能させることを特徴とするプログラム。
【発明の詳細な説明】
【技術分野】
【０００１】
本発明は、自分撮り構図確認用の反射鏡を備える撮影装置と、その撮影装置による撮影方法と、その撮影に用いるプログラムに関する。
【背景技術】
【０００２】
カメラにおいて、自分撮り時の構図確認用にレンズ付近に小型の鏡を実装したものが知られている（例えば特許文献１参照）。
なお、監視用カメラ等でハーフミラー越しに撮影するカメラも知られている。
また、固体撮像素子の受光面内に被写体の光学的像が収まるように、自分撮り構図確認用のハーフミラーを透過する光を収束させる光収束手段（凸レンズ）を設けた画像入力装置もある（特許文献２参照）。
【先行技術文献】
【特許文献】
【０００３】
【特許文献１】特開２００３−１９５４０３号公報
【特許文献２】特開２０００−２７８５６７号公報
【発明の概要】
【発明が解決しようとする課題】
【０００４】
ところで、ハーフミラーを撮像レンズの前に置いた自分撮りカメラにおいて、一般的には、ハーフミラーを無色（シルバー）にするのが、撮像した画像を正確に記録するのに都合は良い。
しかし、外観上、広い面積の無色（シルバー）のハーフミラーになってしまい、デザイン性が損なわれる。
【０００５】
本発明の課題は、自分撮り構図確認用の反射鏡を備える撮影装置において、デザイン性を向上させることである。
【課題を解決するための手段】
【０００６】
以上の課題を解決するため、本発明は、
被写体を撮影する撮影レンズを含む撮影手段と、
前記撮影レンズの前面に配置され、前記被写体からの入射光を前記撮影レンズに透過させる透光部を有した所定の色の反射鏡と、
前記所定の色の反射鏡の前記透光部を透過した入射光を、前記撮影手段により撮影して得られた前記所定の色の影響を受けた画像データに対して、前記所定の色の影響を補正するための色調整を行う色調整手段と、
を備えることを特徴とする。
【発明の効果】
【０００７】
本発明によれば、自分撮り構図確認用の反射鏡を備える撮影装置において、色の付いた反射鏡を利用することができる。
【図面の簡単な説明】
【０００８】
【図１】本発明を適用した撮影装置の一実施形態の構成を示すもので、カメラの斜視図である。
【図２】図１のカメラの拡大中央横断面図である。
【図３】図２の矢印Ａ部の拡大図である。
【図４】撮影画像の色補正処理を示すフローチャートである。
【図５】色補正トーンカーブの例を示すもので、標準トーンカーブを示したグラフ（ａ）と、Ａミラー色トーンカーブを示したグラフ（ｂ）である。
【発明を実施するための形態】
【０００９】
以下、図を参照して本発明を実施するための形態を詳細に説明する。
【００１０】
（要点）
撮像レンズの前に、自分撮り画角確認のためのハーフミラーを配置したカメラにおいて、色の付いたハーフミラーの認識情報でミラーの区別を認識させ、それぞれのミラーの色に応じた画像処理を行う。
なお、色の付いたハーフミラーは着脱可能としてもよい。
【００１１】
（実施形態）
図１及び図２は本発明を適用した撮影装置の一実施形態の構成としてカメラを示すもので、１は筐体、２は撮影レンズ、３はハーフミラー、４は取付台、５はフォトリフレクタ、６は両面テープ、７はモニター、８は電池、９は回路基板である。
【００１２】
図示のように、カメラは、筐体１の撮影レンズ２の前面側に凸面鏡によるハーフミラー３を実装している。撮影レンズ２は、被写体を撮影する所定の画角を有している。
具体的には、筐体１の内部において、撮影レンズ２を囲む取付台４の表面にハーフミラー３が両面テープ６を介して貼り付けられている。取付台４の一部には、フォトリフレクタ５が組み込まれている。
なお、筐体１の背面にモニター７が設けられて、筐体１の内部に電池８、及び回路基板９が設けられている。
【００１３】
そして、ハーフミラー３は、撮影レンズ２の向きと同じ向きに配置され、被写体からの入射光を反射する。
また、ハーフミラー３は、被写体からの入射光を撮影レンズ２に透過させる透光部３１を有している。その透光部３１は、所定の透過率と反射率を有し、少なくとも撮影レンズ２の画角部分に対応している。
【００１４】
さらに、ハーフミラー３は、所定の色の付いたハーフミラーである。
なお、その所定の色の付いたハーフミラー３は、例えば筐体１の溝にハーフミラー３周囲の微小フックで嵌め合わせたり、両面テープで粘着させたり、または、ハーフミラー３裏面の鉄板と筐体１の磁石で吸着することなどで、その固定と着脱が行える構造としてもよい。
【００１５】
しかしながら、色の付いたハーフミラーを透過した光は、この色の影響を受け、撮像した画像データは本来の色味とは異なってしまう。
【００１６】
そこで、カメラの筐体１には、撮影レンズ２と、その撮影レンズ２を通した画像を取り込む撮像素子とを含む撮影手段が内蔵されるとともに、その撮影手段により撮影された画像データを処理するコンピュータが内蔵（回路基板９に搭載）されている。
そのコンピュータは、所定の色のハーフミラー３の透光部３１を透過した入射光を、撮影レンズ２を通して撮影手段により撮影して得られた所定の色の影響を受けた画像データに対して、その所定の色の影響を補正するための色調整を行う色調整手段として機能する。
その色調整手段は、画像のハイライト部分から所定の色のＲ（赤）Ｇ（緑）Ｂ（青）各成分を引き算してホワイトバランス処理を行う。
【００１７】
また、フォトリフレクタ５は、所定の色を示す情報を取得する色情報取得手段であるセンサーとして機能する。
その場合、色調整手段は、フォトリフレクタ５により取得した色情報に基づいて、撮影手段により撮影して得られた画像データに対して色調整を行う。
【００１８】
そして、フォトリフレクタ５は、ハーフミラー３の裏面に反射印刷３２した認識情報を読み取る。
または、ハーフミラー３の半透明部の色相や透過率を認識させることで、その所定の色を示す情報を取得する色情報取得手段としてもよい。
【００１９】
図３は図２の矢印Ａ部を拡大したもので、図示のように、ハーフミラー３の裏面には、透光部３１と異なる箇所に反射印刷３２が施されて、その透光部３１と反射印刷３２部分を除いて無反射印刷３３が施されている。
そして、取付台４には、ハーフミラー３裏面の反射印刷３２の後方に位置するフォトリフレクタ５が組み込まれている。
なお、取付台４にハーフミラー３を貼り付ける両面テープ６は、透光部３１と反射印刷３２部分が空所となっている。
【００２０】
以上のように、撮像レンズ２の前に、自分撮り画角確認のための色の付いたハーフミラー３を配置したカメラにおいて、画像処理で本来の色になるよう画質調整する。
【００２１】
そして、何色のハーフミラー３が付いているかは、そのミラー裏面に反射印刷３２した認識ドットパターンをフォトリフレクタ５で読み取ることにより行う。
あるいは、半透明部の色相や透過率を、色情報が読み取れるカラーセンサーで認識させることで行ってもよい。
なお、ドットパターンとは、ＱＲコード(登録商標)やそれを簡略化したようなものである。
また、ハーフミラー３に色情報を記憶する記憶手段を設け、磁気センサーや電気接点などを介して、カメラのコンピュータが、ハーフミラー３の記憶手段に記憶されている色情報を取得するようにしてもよい。
【００２２】
ここで、一般的なホワイトバランス補正について説明する。
現在一般的に多く利用されているオートホワイトバランスの原理は、画像データの中から「白と思われる部分（=ハイライト部分など）を検出し、そこが白くなるように補正を行うことが行われている。
すなわち、白を検出することで、画像全体のカラーバランスを調整する。
【００２３】
しかし、この方法では、白または無彩色が存在しない場合に、補正できない問題がある。
【００２４】
このため、ホワイトバランスのプリセットを行う。
通常、光源は「太陽光」「曇天」「日陰」「昼白色蛍光灯」「昼光色蛍光灯」「電球」などと決まっているから、予め「白と思われる部分」をどの程度の白さ＝色温度にするか、プリセットしておく。
なお、手動で選択可能としておくこともある。
【００２５】
従って、本発明では、画像のハイライト部分もハーフミラー３の色の影響を受けるので、予め、そのミラー色（のＲＧＢ各成分）を引き算する設定にしておき、ホワイトバランス処理を行う。
すなわち、一般的なプリセットホワイトバランス（「太陽光」「曇天」「日陰」「昼白色蛍光灯」「昼光色蛍光灯」「電球」など決まっている色温度に白を合わせる）と同様である。
【００２６】
以上の画像のホワイトバラス処理による色補正処理は、カメラのコンピュータに予め組み込まれたプログラムに従って行われる。
【００２７】
次に、撮影画像の色補正処理を図４のフローチャート示す。
【００２８】
すなわち、図示のように、先ず、電源がＯＮされると、モニター７にスルー画像を表示してから（ステップＳ１）、ハーフミラー３の有無を検出する図示しないセンサーにより判別する（ステップＳ２）。
そして、ハーフミラー３無し（ハーフミラー３が外されている場合）ならば、撮影レンズ２の動作・撮像素子の受光による撮影処理し（ステップＳ１１）、ホワイトバランス処理（ステップＳ１２）、画像保存（ステップＳ１３）を行って、ステップＳ１の処理に戻る。
【００２９】
また、ステップＳ２において、ハーフミラー３有りならば、ハーフミラー３の色を検出するフォトリフレクタ５によるミラー色Ａの検出の有無を判別し（ステップＳ３）、ミラー色Ａ検出有りであれば、Ａ成分減少トーンカーブ設定の処理（ステップＳ４）を行ってから、撮影処理（ステップＳ１１）、ホワイトバランス処理（ステップＳ１２）、画像保存（ステップＳ１３）を行って、ステップＳ１の処理に戻る。
【００３０】
図５は色補正トーンカーブの例を示すもので、図５（ａ）は標準トーンカーブを示したグラフ、図５（ｂ）はＡミラー色トーンカーブを示したグラフである。
すなわち、図５（ｂ）に示すように、Ａミラーは仮に純粋な赤色であれば、Ｒのみを減らす補正をかける。
また、ミラーの色によっては、緑色に対応するＧchannel、青色に対応するＢchannel についても同様に、各ミラー色別にトーンカーブを変える。
【００３１】
次に、図４のフローチャートに戻り、ステップＳ３において、ミラー色Ａ検出無しであれば、次のミラー色Ｂの検出の有無を判別し（ステップＳ５）、ミラー色Ｂ検出有りであれば、Ｂ成分減少トーンカーブ設定（図５（ｂ）参照）の処理（ステップＳ６）を行ってから、撮影処理（ステップＳ１１）、ホワイトバランス処理（ステップＳ１２）、画像保存（ステップＳ１３）を行って、ステップＳ１の処理に戻る。
【００３２】
また、ステップＳ５において、ミラー色Ｂ検出無しであれば、次のミラー色Ｃの検出の有無を判別し（ステップＳ７）、ミラー色Ｃ検出有りであれば、Ｃ成分減少トーンカーブ設定（図５（ｂ）参照）の処理（ステップＳ８）を行ってから、撮影処理（ステップＳ１１）、ホワイトバランス処理（ステップＳ１２）、画像保存（ステップＳ１３）を行って、ステップＳ１の処理に戻る。
【００３３】
また、ステップＳ７において、ミラー色Ｃ検出無し、すなわち、ハーフミラー３の種類が規定値以外であった場合であれば、標準トーンカーブ設定（図５（ａ）参照）の処理（ステップＳ９）を行ってから、撮影処理（ステップＳ１１）、ホワイトバランス処理（ステップＳ１２）、画像保存（ステップＳ１３）を行って、ステップＳ１の処理に戻る。
【００３４】
なお、上記実施例においては、ハーフミラーの色をＡ、Ｂ、Ｃの３色で説明したが、この３色に限定されるものではない。
【００３５】
以上、実施形態の色の付いた自分撮り構図確認用のハーフミラー３を備えるカメラによれば、撮影レンズ２を含む撮影手段により撮影して得られた所定の色の影響を受けた画像データに対して、所定の色の影響を補正するための色調整を行う色調整手段により、画像のハイライト部分から所定の色のＲＧＢ各成分を引き算してホワイトバランス処理を行うことで、所定の色の付いたハーフミラー３を選択できて、その所定の色の付いたハーフミラー３を透過した画像が本来の色になるよう画質調整することができる。
【００３６】
従って、ハーフミラー３の色を、デザイン性などのためにいろいろな色にしても、撮像映像を本来の色味にすることも、画像処理効果のためにミラー特有の色にすることもできる。
そして、複数のハーフミラー３を着脱しても、それぞれの区別ができる。
【００３７】
（変形例）
以上の実施形態においては、カメラとしたが、本発明はこれに限定されるものではなく、カメラを備える携帯電話など他の電子機器であってもよい。
また、その他、具体的な細部手法等についても適宜に変更可能であることは勿論である。
【００３８】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
被写体を撮影する撮影レンズを含む撮影手段と、
前記撮影レンズの前面に配置され、前記被写体からの入射光を前記撮影レンズに透過させる透光部を有した所定の色の反射鏡と、
前記所定の色の反射鏡の前記透光部を透過した入射光を、前記撮影手段により撮影して得られた前記所定の色の影響を受けた画像データに対して、前記所定の色の影響を補正するための色調整を行う色調整手段と、
を備えることを特徴とする撮影装置。
＜請求項２＞
前記色調整手段は、画像のハイライト部分から前記所定の色のＲＧＢ各成分を引き算してホワイトバランス処理を行うことを特徴とする請求項１に記載の撮影装置。
＜請求項３＞
前記所定の色を示す情報を取得する色情報取得手段を備え、
前記色調整手段は、前記色情報取得手段により取得した色情報に基づいて、前記撮影手段により撮影して得られた画像データに対して色調整を行うことを特徴とする請求項１に記載の撮影装置。
＜請求項４＞
前記色情報取得手段は、前記反射鏡の裏面に反射印刷した認識情報を読み取る、または前記反射鏡の半透明部の色相や透過率を認識させることで、前記所定の色を示す情報を取得することを特徴とする請求項３に記載の撮影装置。
＜請求項５＞
前記色情報取得手段は、前記反射鏡に備えられていることを特徴とする請求項３に記載の撮影装置。
＜請求項６＞
前記透光部は、所定の透過率と反射率を有するハーフミラーであることを特徴とする請求項１から５の何れか一項に記載の撮影装置。
＜請求項７＞
前記反射鏡は、所定の透過率と反射率を有するハーフミラーであることを特徴とする請求項１から６の何れか一項に記載の撮影装置。
＜請求項８＞
前記反射鏡は、凸面鏡であることを特徴とする請求項１から７の何れか一項に記載の撮影装置。
＜請求項９＞
前記反射鏡は、当該撮影装置本体から着脱可能な構造であることを特徴とする請求項１から８の何れか一項に記載の撮影装置。
＜請求項１０＞
撮影レンズと、前記撮影レンズの前面に配置され、前記被写体からの入射光を前記撮影レンズに透過させる透光部を有する所定の色の反射鏡と、を備える撮影装置による撮影方法であって、
前記所定の色の反射鏡の前記透光部を透過した前記被写体からの入射光を撮影する撮影ステップと、
前記撮影ステップにより撮影して得られた前記所定の色の影響を受けた画像データに対して、前記所定の色の影響を補正するための色調整を行う色調整ステップと、
を含むことを特徴とする撮影方法。
＜請求項１１＞
撮影レンズと、前記撮影レンズの前面に配置され、前記被写体からの入射光を前記撮影レンズに透過させる透光部を有する所定の色の反射鏡と、を備える撮影装置のコンピュータを、
前記所定の色の反射鏡の前記透光部を透過した前記被写体からの入射光を撮影する撮影手段、
前記撮影手段により撮影して得られた前記所定の色の影響を受けた画像データに対して、前記所定の色の影響を補正するための色調整を行う色調整手段、
として機能させることを特徴とするプログラム。
【符号の説明】
【００３９】
１  筐体
２  撮影レンズ
３  反射鏡
３１  透光部
３２  反射印刷
３３  無反射印刷
４  取付台
５  色情報取得手段
６  両面テープ
７  モニター
８  電池
９  回路基板
【図１】
2016045332.tif 000003
【図２】
2016045332.tif 000004
【図３】
2016045332.tif 000005
【図４】
2016045332.tif 000006
【図５】
2016045332.tif 000007